(57)【要約】      （修正有）【課題】先端作用部が回転しにくく、適度なしなりで、力が入れやすく、取扱いしやすく、携帯に便利な小型の伸縮ハンドル器具を提供する。【解決手段】握り部と、作用部を伸縮する伸縮竿で接続し、伸縮竿複数をそれぞれを略平行に並べ、各伸縮竿の一端側をそれぞれ固定し握り部とし、伸縮竿の他の端を作用部端とし、作用部端に作用部を備える。【選択図】図１
0003169304.tif 000002
【実用新案登録請求の範囲】
【請求項１】
握り部と作用部とを、伸縮する伸縮竿で接続した器具において、
少なくとも２本の伸縮竿を、それぞれを略平行に並べ、
各伸縮竿の一端側をそれぞれ固定し握り部とし、
該伸縮竿の他の端を作用部端とし、
作用部端に作用部を設けたことを
特徴とする伸縮ハンドル器具。
【請求項２】
請求項１に記載の伸縮ハンドル器具であって、
前記握り部を、プラスチック、ゴム、木材、及び金属の少なくとも１種で形成、固定したこと
を特徴とする伸縮ハンドル器具。
【請求項３】
請求項１又は２に記載の伸縮ハンドル器具であって、
前記作用部を、略「く」の字の板状で、先端がクシ状の歯を有する肌掻き具をとしたこと
を特徴とする伸縮ハンドル器具。
【請求項４】
請求項１又は２に記載の伸縮ハンドル器具であって、
前記作用部を、略「Ｕ」の字のワイヤにコイルを被せた肌掻き具としたこと
を特徴とする伸縮ハンドル器具。
【請求項５】
請求項１又は２に記載の伸縮ハンドル器具であって、
前記作用部を、複数の爪状の掻き部、指の腹状の略半球の膨らみ部による、肌掻き具としたこと
を特徴とする伸縮ハンドル器具。
【請求項６】
請求項１又は２に記載の伸縮ハンドル器具であって、
前記作用部を、プラスチック、ゴム、木、及び金属の少なくとも１種を塊状にした、肩叩き具としたこと
を特徴とする伸縮ハンドル器具。
【請求項７】
請求項１又は２に記載の伸縮ハンドル器具であって、
前記作用部を、ブラシ状、刷毛状、又はローラ状のものとしたこと
を特徴とする伸縮ハンドル器具。
【請求項８】
請求項１又は２に記載の伸縮ハンドル器具であって、
前記作用部を、貼り薬を載せ、転がし貼るローラ部と、
貼り薬の一方を押さえ、収納する収納部による、
貼り薬貼りを行う貼り具としたこと
を特徴とする伸縮ハンドル器具。
【請求項９】
請求項１又は２に記載の伸縮ハンドル器具であって、
前記作用部に、少なくとも２本の指状の板片、または棒片を対峙し、把持するハンドをを設け、握り部付近に操作レバーを配し、操作レバーを動作ワイヤでハンドと結び、操作レバーを動作する事でハンドの把持力を動作させる、マジックハンド具としたこと
を特徴とする伸縮ハンドル器具。
【請求項１０】
請求項９に記載の伸縮ハンドル器具であって、
握り部付近にリールを設けると共に、リール軸周辺に回転巻き戻しをする巻きバネを設け、ハンドを動作させる動作ワイヤの一端をリール外周付近に係止し、伸縮竿を縮ませた際にリールに動作ワイヤを巻き取り、ワイヤのたるみを減少させ、張りを保つ様にしたこと
を特徴とする伸縮ハンドル器具。
【請求項１１】
請求項１又は２に記載の伸縮ハンドル器具であって、
作用部端に作用部を取り外し可能とする接合部を設け、作用部を交換式としたこと
を特徴とする伸縮ハンドル器具。
【考案の詳細な説明】
【技術分野】
【０００１】
本考案は、手の届きにくい背中等の部位を掻いたり、掃除したり、叩いたり、薬を塗ったり、貼ったり、離れたものを摘んだりする伸縮性のハンドル部を有す器具に関する。
【背景技術】
【０００２】
従来から、手の届きにくい背中等を掻いたり、掃除したり、叩いたり、薬を塗ったり、貼ったり、ものを摘んだりする器具が有るが、小型の伸縮性のハンドルを持つ器具は、力が入りにくく、作用部が回転してしまい操作性が悪く、壊れやすかった。一方で、伸縮機能を有しないものは、大きいため、保管や、携帯がしにくく邪魔になった。
【先行技術文献】
【特許文献】
【０００３】
【特許文献１】特開平７−２９９１４７号公報
【特許文献２】特開２００８−２７９１５２号公報
【特許文献３】特開平７−２９９１４７号公報文献１において、先端部には、外形より大きな外形を有する補強リング（他のパイプで割れたりするのを防止する）が設けてあるが、一本のハンドルをのみを使用し、パイプ同士の回転を防止するものでも、しなりを防止するものでもない。  文献２においては、一本の中空筒体を竿状として使用していると共に、爪部をパイプ内に収容しているため、竿部からの爪の長さは短い。  文献３においては、「把手を設けた支持フレームと、その支持フレームに設けられ」と記載が有るが、把手とフレームを繋ぐものは一本のパイプ状で示されており、回転、しなり等の問題は触れられていない。
【考案の概要】
【考案が解決しようとする課題】
【０００４】
しかしながらこのような構造の伸縮ハンドル器具やハンドル器具は、力が入れにくく、力を入れすぎると、壊れ易く、その上、先端作用部が回転してしまう、しなってしまう等、取扱いにくかった。
【０００５】
そこで本考案は、先端作用部が回転しにくく、適度なしなりで、力が入れやすく、取扱いしやすく、携帯に便利な小型の伸縮ハンドル器具を提供することを目的とする。
【課題を解決するための手段】
【０００６】
上記課題を解決するために、本考案の伸縮ハンドル器具は、握り部と作用部とを伸縮可能な伸縮竿で接続した器具で、
少なくとも２本の伸縮竿を、それぞれを略平行に並べ、
各伸縮竿の一端側をそれぞれ固定し握り部とし、
該伸縮竿の他の端を作用部端とし、
作用部端に作用部を設けた。
また、前記握り部を、プラスチック、ゴム、木材、及び金属の少なくとも１種で形成、固定した。
さらに、作用部を、第一に、略「く」の字の板状で、先端がクシ状の歯を有する、
背中等を掻く肌掻き具とした。
また、作用部を、略「Ｕ」の字のワイヤにコイルを被せた、
背中等を掻く、肌掻き具、とした。  
第二に、作用部を、複数の爪状の掻き部と、指の腹状の略半球の膨らみ部による、
背中等を掻く肌掻き具とした。
第三に、作用部を、プラスチックやゴム、木、及び金属の少なくとも１種を塊状にした、
肩等を叩く、叩き具とした。
第四に、作用部を、ブラシ状、刷毛状、又はローラ状のものとした。
第五に、作用部を、貼り薬を載せ、転がし貼るローラ部と、
貼り薬の一方を押さえ、収納する収納部による、
背中等の貼り薬貼りを行う貼り具とした。
第六に、作用部に、少なくとも２本の指状の板片、または棒片を対峙し、把持するハンドを設け、握り部付近に操作レバーを配し、操作レバーを動作ワイヤでハンドと結び、操作レバーを動作する事でハンドの把持力を動作させる、マジックハンド具とした。
【０００７】
また、握り部付近にリールを設けると共に、リール軸周辺に回転巻き戻しをする巻きバネを設け、ハンドを動作させる動作ワイヤの一端をリール外周付近に係止し、伸縮竿を縮ませた際にリールに動作ワイヤを巻き取り、ワイヤのたるみを減少させ、張りを保つ様にした。
その上、作用部端に作用部を取り外し可能とする接合部を設け、作用部を交換式とした。
【考案の効果】
【０００８】
本考案によれば、子供やお年寄りでも、背中等を掻いたり、掃除したり、叩いたり、薬を塗ったり、貼り薬を貼ったり、離れたものを摘んだりする事が簡便に提供できる。
【図面の簡単な説明】
【０００９】
【図１】本考案の第一の実施形態に係る伸縮ハンドル器具１の図である。（実施例１）
【図２】従来の伸縮ハンドル器具の一例、回転動作を説明するための説明図である。
【図３】本考案の第一の実施形態に係る形態を説明するための図である。
【図４】（ａ）は従来の伸縮ハンドル器具の一例の動作と、（ｂ）は本考案の第一の実施形態に係る伸縮ハンドル器具の動作を示した図である。
【図５】本考案の第二の実施形態に係る伸縮ハンドル器具１の図である。（実施例２）
【図６】本考案の第三の実施形態に係る伸縮ハンドル器具１の図である。（実施例３）
【図７】本考案の第四の実施形態に係る伸縮ハンドル器具１の図である。（実施例４）
【図８】本考案の第五の実施形態に係る伸縮ハンドル器具１の図である。（実施例５）
【図９】本考案の第六の実施形態に係る伸縮ハンドル器具１の図である。（実施例６）
【図１０】本考案の第七の実施形態に係る伸縮ハンドル器具１の図である。（実施例７）
【図１１】本考案の第八の実施形態に係る伸縮ハンドル器具１の図である。（実施例８）
【考案を実施するための形態】
【００１０】
本考案の実施の形態について、以下、図に基づいて説明する。
＜第一の実施形態＞
図１は、本考案の第一の実施形態に係る伸縮ハンドル器具１の図である。
【００１１】
図１に示すように、伸縮ハンドル器具１は、伸縮竿２を二本並べ、一端を接続バンド４ａ、４ｂにより束ね接続し、握り部２ｂとし、伸縮竿の各他端を作用部端４とし、作用部端４に作用部３の背中掻き部を設けた。
【００１２】
まず、伸縮竿２は、パイプ径が少しずつ異なる大、中、小の三種類をそれぞれ内部に重ねて入れ、内部のパイプが出退する事により、伸縮させ、伸ばしたときに、各端はそれぞれの端付近で爪やピンにより抜けずに止まり、各３本のパイプは長手方向に繋がった一本の竿となるものである。ここでのパイプの径は三種類を用い３段としているが、段数は、もっと多くても、少なくても良い、また、必ずしもパイプ同士の組み合わせでなくとも、棒状体とパイプの組合せでも良く、パイプも、四角や六角、扁平状でも良く、ここでは、ほぼ直線状に、伸縮し、竿状を形成すれば良いものである。作用部３は背中を掻く、「孫の手」形状を示し、先端が三つの爪部３１を持つ、ここでは、三つの爪で構成されているが、形状や、爪の個数は限定するものでない。肌を掻くのに適した形状で有ればよい。これらにより、伸縮竿のしなりを押さえ、手の届きにくい背中などを的確に掻く肌掻きとなると共に、伸縮竿を縮めることにより収納、携帯が容易になる。
【００１３】
作用部３と、握り部２ｂ付近を手で持ち、互いの手を押し合う（近づける）と、各伸縮竿２は同時に縮み、短く収納される。一方、お互いを引きあう（離す）と、各伸縮竿２が伸び、握り部２ｂと作用部３がお互いに距離を作る。図１（ｂ）は伸縮竿２を縮めた状態を示し、伸縮竿２の段差に応じて、収縮割合が増す。伸縮竿を伸ばしたことにより、手の届かない背中等を掻いたり、収縮させる事により、小さく収納、携帯がし易くなるものである。また、後記するハンドを設ける事により、離れたものや、狭くて届かない部分のものを拾い上げる、摘み取る事が可能な、伸縮可能なマジックハンドになる。
【００１４】
図２（ａ）（ｂ）は、従来の伸縮ハンドル器具の一例、回転動作を説明するための説明図である。
従来の一本の伸縮竿２ａは、指１０で下方に押さえて肌面１２に押しつける様にして掻く場合に、押さえにくく、押しにくいと共に、伸縮竿２ａのパイプが回転し、図２（ｂ）に示すように、例えば回転方向２０に回転しやすく、作用部３ａが肌面１２からそれてしまう。また、爪高さｈ１を高くすると、回転を増長しやすくなる、このため、爪高さｈ１は高く出来ないのが現状である。
【００１５】
図３は、本考案の第一の実施形態に係る形態を説明するための図である。
伸縮ハンドル器具１で背中を掻く場合の、作用部３を示し、伸縮竿２を束ねた握り部２ｂのパイプ部表面を指１０が押さえ肌面１２を掻く状態を示す。指１０の腹が、握り部２ｂの間付近の凹みに当たり押すことと、作用部３が二本の伸縮竿２により両脇から押される為に回転せず、安定して、肌面１２を掻く事が出来る事を示す。また、回転せず安定して力が掛けられるため、前記で示した爪高さｈ１，に比べはるかに高い爪高さｈ２とする事が可能である。
【００１６】
なお、ここでは伸縮竿が２本である事を示すが、３本、４本と多くすればもっと安定する。また、ここでの説明は、図３の上部から指で押した状態を示すが、上部に人差し指等を回し、下方から、親指で押さえても、同じように安定した作用部のコントロールが出来る。
【００１７】
図４（ａ）は、従来の伸縮ハンドル器具の一例の動作と、図４（ｂ）は本考案の第一の実施形態に係る伸縮ハンドル器具１の動作を示した図である。図４（ａ）では、手１１により、背中肌面１２ａを掻こうとすると、肩１３付近に伸縮竿２が当たり、伸縮竿２は、反って爪部３１ａは背中肌面１２ａから遠ざかってしまい掻けない事を示す。上記で示したように、爪高さｈ１を高くする事も出来ず、使いにくい現状であった。一方図４（ｂ）は本考案の実施例で、伸縮竿２を少なくとも２本使用するため強度が増し、反りが少なく、爪高さｈ２を高くしてある。このため、背中肌面１２ａを掻きやすい。上記で示したように爪高さｈ２を高くしても、回転せず、安定して掻くことが出来る。また、適度なしなりも得られ無理な肌面への押下も吸収する。
【００１８】
＜第二の実施形態＞
次に、本考案の第二の実施形態に係るの伸縮ハンドル器具について説明する。図５（ａ）は、本考案の第二の実施形態に係る伸縮ハンドル器具１ｂの図である。図５（ｂ）は、伸縮竿２を縮めた状態を示し、袋状布５０を被せた状態を示す。なお、以下の各実施形態では、前実施形態と同じ部分については同じ符号を付して、その詳細な説明を省略する。
【００１９】
本実施形態に係る伸縮ハンドル器具１ｂは、第一の実施形態に係る伸縮ハンドル器具１と作用部を除き同じ構成である。作用部３は背中等の肌を掻くものを示し、略「Ｕ」字状のワイヤ（例えば３ｍｍ丸棒）で形成し、コイルで覆った掻き部の爪部３１ｂを設けたものである。コイルで覆う事により、コイルを形成するワイヤの太さ（例えば０．６ｍｍ）とコイルのしなりが肌を痛めず、肌に適度に食い込み、伸縮竿２を長手方向に動作させることにより、コイルの表面の各線材が肌に動作方向に対し直角に当たり、心地よい掻き心地を得られるものである。「Ｕ」字状ワイヤは伸縮竿２の先端にワイヤの端をカシメ、または、接着、螺子止めされるものである。各ワイヤには、鍍金や被覆が施されても良い。
コイルは均一な巻きだけでなく、巻き径、巻き間隔を変化させることにより、よりダンパー効果を働かせたり、コイル表面の段差を作り出し、掻き心地を高める事が出来る。袋状布５０は、単なるカバーとしてでなく、布を被せた状態での背中掻きが可能であり、より、肌を滑らかに掻く事が出来たり、袋状布に薬をしみこませ、薬を塗ることもできる。
【００２０】
＜第三の実施形態＞
次に、本考案の第三の実施形態に係る伸縮ハンドル器具について説明する。図６（ａ）（ｂ）は、本考案の第三の実施形態に係る伸縮ハンドル器具１ｃの図である。
【００２１】
本実施形態に係る伸縮ハンドル器具１ｃは、第二の実施形態に係る伸縮ハンドル器具１ｂと作用部３を除き同じ構成であるが、作用部３の爪部３１ｃの構造は、図６（ａ）は、複数の爪状の掻き部３１１と、図６（ａ）（ｂ）は、指の腹状の膨らみ部３１２を設けた、背中などを掻く作用部とした点が伸縮ハンドル器具１ｂとは異なる。
図６（ａ）は、掻き部３１１は板状（例えば０．８ｍｍの先端を丸め、湾曲させた板状）とし、膨らみ部は略半球（例えば、半径６ｍｍ）としたもので、材質はプラスチックやゴム（エラストマー、シリコンゴム等を含む）、木材、金属等で形成したものである。また、「く」の字に曲がった部分は、適度にしなりを有し、ダンパー効果で掻きすぎを防止する。また、強く掻いた際にも、このしなりにより、複数の爪状の掻き部３１１が傾き、肌面には、指の腹状の膨らみ部３１２が当たるようになりムリに肌を掻くことを防止する。図６（ｂ）は、爪部３１ｃの膨らみ部３１２を猫足裏部の肉球の様に半球状に柔軟性のあるゴムや、プラスチックで形成したもので、表面に凸部や模様を設けた。また、先端作用部で肩たたきも可能になる。
＜第四の実施形態＞
次に、本考案の第四の実施形態に係る伸縮ハンドル器具について説明する。図７（ａ）（ｂ）は、本考案の第四の実施形態に係る伸縮ハンドル器具１ｄの図である。
【００２２】
本実施形態に係る伸縮ハンドル器具１ｄは、第一の実施形態に係る伸縮ハンドル器具１と作用部３を除きほぼ同じ構成であるが、作用部３は叩き部３１ｄを設け、肩などを叩く作用部としたことが伸縮ハンドル器具１とは異なる。また、伸縮竿２は３本とした握り部２ｂとし、伸縮竿の全体の強度を高め、しなりを押さえた。叩き部３１ｄは、プラスチックや、ゴム（エラストマー、シリコンゴムを含む）、木材、金属等の素材で略球形状等の塊状にしたもので、主に、握り部２ｂを持って振り、作用部３を慣性により当てる事により患部などを叩くものである。勿論、金槌の様な使用をしても良いものである。叩き部３１ｄは略球形状で、一端は稍突起状を示しているが、表面を凸凹状にしたり、円柱や、六角柱状（例えば金槌状）にしても良い。また、上記材料を組み合わせて（例えばエラストマープラスチックの二重成形）使用しても良い。これにより、背中や肩などを、しならず、正確な場所を確実に叩き、持ち運びに便利な叩き具となる。
図７（ｂ）は伸縮竿２を縮めた状態を示す。
＜第五の実施形態＞
次に、本考案の第五の実施形態に係る伸縮ハンドル器具について説明する。図８（ａ）（ｂ）は、本考案の第五の実施形態に係る伸縮ハンドル器具１ｅの図である。
【００２３】
本実施形態に係る伸縮ハンドル器具１ｅは、第一の実施形態に係る伸縮ハンドル器具１と作用部３を除きほぼ同じ構成であるが、図８（ａ）は、作用部３ｂは刷毛ローラ３１ｅを設け、図８（ｂ）は、作用部３ｂは刷毛３２ｅを設け、背中などを擦る、洗う作用部としたことが伸縮ハンドル器具１とは異なる。刷毛ローラ３１ｅは、ナイロンや、豚毛等を円柱の円周上に植え込み、または貼付けたものや、紙や布、不織布、スポンジ等を円柱状にしたものである。刷毛３２ｅはナイロン、豚毛等を先端に植え込み、または、カシメ等で止めたものである。また、握り部２ｃは、プラスチック、ゴム（エラストマー、シリコンゴムを含む）、木材、金属で形成、固定したものであり、前記接続バンドによらず、伸縮竿の一端を、握り部に取り付け固定すると共に、より手になじむ形状や素材としたものであり使いやすさを向上するものである。
＜第六の実施形態＞
次に、本考案の第六の実施形態に係る伸縮ハンドル器具について説明する。図９は、本考案の第六の実施形態に係る伸縮ハンドル器具１ｇの図である。
【００２４】
本実施形態に係る伸縮ハンドル器具１ｇは、第五の実施形態に係る伸縮ハンドル器具１と作用部３を除き同じ構成である。図９は、作用部３ｃはローラ３１３、収納部３１４、押さえ爪３１５で構成された貼り薬を背中等に貼る器具である。ここでは、ローラ３１３
の上に、貼り薬４０が貼り薬の分離紙４０ａの一部を剥がし、押さえ爪３１５に分離紙４０ａの一端が押さえられ、貼り薬の一端が収納部３１４に入った状態を示す。このように、このような状態で貼り薬４０を配置した状態で、背中等患部の一端側をローラ３１３上の貼り薬４０の一端を押しつけた後にローラ３１３を押しつけながら、握り部２ｃを手前（握り部側）に引く事により、ローラ上の貼り薬を患部に貼付ける。収納部３１４には、ここでは示さないが貼り薬４０を自重で落ちない程度に押圧し押さえる。押さえる方法は板バネで直接押さえる。また、コイルバネにより押しつけるスタッカー構造としても良い。これらのことから、背中など手の届きにくい箇所に、しならず、正確に、そして簡単に、人の手を借りずに、貼り薬を貼り付ける事が出来る。
＜第七の実施形態＞
次に、本考案の第七の実施形態に係る伸縮ハンドル器具について説明する。図１０は、本考案の第七の実施形態に係る伸縮ハンドル器具１ｈの図である。
【００２５】
本実施形態に係る伸縮ハンドル器具１ｈの伸縮竿２は、第一の実施形態に係る伸縮竿２とほぼ同じ構成であるが、図９（ａ）では、伸縮竿２を３本使用し、握り部２ｄで各伸縮竿２を固定したものである。握り部２ｄには、操作レバー５が設けられ、一端にはリールと連動したスライド部６１が設けられると共に、操作レバー５とスライド部６１はワイヤで連結され、図１０（ｂ）の様に操作レバー５を図右手方向に引くと、ワイヤを介してリールが図右方向にスライドするものである。ここでは示していないが、操作レバー、リール位置はバネにより、離すと図１０（ａ）の状態に戻る。また、リール６は巻きバネ６２で図１０（ｃ）で示す様に、時計回り方向にリール６が回転方向２１に回転する様にバネが設けられている。作用部３にはハンド３１ｆが設けられ、ハンド爪８、８ａが作用して、ものを摘む構造としてある。図示しないが、ハンド爪８ａはバネにより開く構造とする。リール６の円周上には、作用部３のハンド爪８ａに接続されたワイヤ７ａが接続されている。伸縮竿２を最大に伸ばした状態で、ワイヤ７，７ａが張った状態でハンド爪８，８ａが開いた状態を構成する、図１０（ｂ）に示すように操作レバーを動かすことにより、ワイヤ７ａはリール６が図右方向にスライドする事により、ハンド爪８ａを動かし、ハンド爪８との間隔を狭め収得物３０を挟んだ状態を示す。また、図示しないが、伸縮竿２は伸ばした状態でロックピンなどにより、操作レバー５により、ワイヤ７，７ａに負荷が加わる際に縮まないようにロックする。伸縮竿を縮める時は、ロックピンを外し縮める。図１０（ｃ）は伸縮竿を縮めた状態を示し、伸縮竿２を縮めることにより、リールに回転力を得るために設けた巻きバネ６２により矢印方向２１にリール６は回転し、ワイヤ７ａを巻き取り、たわみを防止する。一方伸縮竿２を伸ばした際には、ワイヤ７ａがリール６から引き出され、矢印方向２１と反対方向に回転し、巻きバネは引かれた状態を保ち、ワイヤもたわみ無く、綺麗に収納され、故障の原因などを防止する。
＜第八の実施形態＞
次に、本考案の第八の実施形態に係る伸縮ハンドル器具について説明する。図１１（ａ）は、本考案の第八の実施形態に係る伸縮ハンドル器具１ｉの図である。図１１（ｂ）は、伸縮ハンドル器具１ｊの図である。
【００２６】
本実施形態に係る伸縮ハンドル器具１ｉの作用部端４は、溝孔４ｃが設けられ、作用部３の差込部４ｆには、ラッチ突起４ｇが設けられ、溝孔４ｃに、差込部４ｆを差し込む事により、作用部が取り付けられる。詳細は図示しないが、ラッチ突起４ｇが溝孔４ｃ内部で掛かり、抜けにくくするものである。図１１（ｂ）は、伸縮ハンドル器具１ｊの図である。本実施形態に係る伸縮ハンドル器具１ｊの作用部端４は、溝孔４ｃが設けられ、詳細は図示しないが、先端は割られ、外側に雄ねじ４ｄが切られ、雌ねじ４ｅがねじ込められ、作用部３は稍テーパが施された差込部４ｆ、を溝孔４ｃに差し込み、雌ねじをねじ込み移動する事により、固定し取り付けられる。このような方法により、作用部端４に作用部３が取り付けられ、複数の作用部が交換され取り付ける事が出来る。作用部３は、ここでは、肌掻きを示したが、前記した、肩たたき具、清掃具、塗り具、貼り薬貼付具等が交換可能に取り付けられる。
ここでは、溝孔４ｃに差込部４ｆを差し込む例を示したが、螺子締めで取り付けたりするほかの方法でも良く、ここでは、作用部端４に作用部３が取り付け自在、交換式で有れば良い。このように、作用部端に、作用部が簡単に交換できることにより、作用部の補修、交換、作用部の作用の交換が出来るので経済的で、安価になると共に、収納場所をとらず、携帯にも便利である。以上各伸縮ハンドル器具に付いて記載したが、作用部は、作用端側だけに設けてきたが、握り手側にも作用部を設けて、両側に作用部を持っていても良い。
また、伸縮竿はまっすぐな筒を繋げているが、曲線状に曲がった筒を繋げる事により、伸ばすと曲線状に伸びる。従来一本の収縮竿を使用している場合は、曲線状に延びると、回転して使用しにくい使用できない状態であったが、複数本使用した場合、曲線状に伸縮しても、回転せずに安定的に使用が出来る。
さらに、上記の全ての伸縮竿を従来のアンテナロッドを使用することにより、従来の技術で、安価で、軽く、丈夫な携帯性を高めた伸縮ハンドル器具となる。また、アンテナロッドのパイプ断面形状を角形にする事により、ファッショナブルな形態になる
【符号の説明】
【００２７】
１・１ａ・１ｂ・１ｃ・１ｄ・１ｅ・１ｆ・１ｇ・１ｈ・１ｉ・１ｊ：伸縮ハンドル器具、２・２ａ：伸縮竿、２ｂ・２ｃ・２ｄ：握り部、３・３ａ・３ｂ・３ｃ：作用部、３１・３１ａ・３１ｂ・３１ｃ・３１１：爪部、３１２：膨らみ部、３１ｄ：叩き部、３１ｅ：刷毛ローラ、３１ｆ：ハンド、３１３：ローラ、３１４：収納部、３１５：押さえ爪、３２ｅ：刷毛、４：作用部端、４ａ・４ｂ：接続バンド、４ｃ：溝孔、４ｄ：雄ねじ、４ｅ：雌ねじ、４ｆ：差込部、４ｇ：ラッチ突起、５：操作レバー、６：リール、６１：スライド部、６２：巻きバネ、７・７ａ：ワイヤ、８・８ａ：ハンド爪、９ａ・９ｂ・９ｃ：支持部、１０：指、１１：手、１２：肌面、１２ａ：背中肌面、１３：肩、２０、２１：回転方向、３０：取得物、４０：貼り薬、４０ａ：分離紙、５０：袋状布、ｈ１・ｈ２：爪高さ
【図１】
0003169304.tif 000003
【図２】
0003169304.tif 000004
【図３】
0003169304.tif 000005
【図４】
0003169304.tif 000006
【図５】
0003169304.tif 000007
【図６】
0003169304.tif 000008
【図７】
0003169304.tif 000009
【図８】
0003169304.tif 000010
【図９】
0003169304.tif 000011
【図１０】
0003169304.tif 000012
【図１１】
0003169304.tif 000013
【手続補正書】
【提出日】平成23年5月20日(2011.5.20)
【手続補正１】
【補正対象書類名】実用新案登録請求の範囲
【補正対象項目名】全文
【補正方法】変更
【補正の内容】
【実用新案登録請求の範囲】
【請求項１】
握り部と作用部とを、伸縮する伸縮竿で接続した器具において、
少なくとも２本の伸縮竿を、それぞれを略平行に並べ、
各伸縮竿の一端側をそれぞれ固定し握り部とし、
該伸縮竿の他の一端側のそれぞれの集合を作用部端とし、
作用部端に作用部、又は、作用部を取り付ける接合部に固定したこと
を特徴とする伸縮ハンドル器具。
【請求項２】
請求項１に記載の伸縮ハンドル器具であって、
前記握り部を、プラスチック、ゴム、木材、及び金属の少なくとも１種で形成、固定したこと
を特徴とする伸縮ハンドル器具。
【請求項３】
請求項１又は２に記載の伸縮ハンドル器具であって、
前記作用部を、略「く」の字の板状で、先端がクシ状の歯を有する肌掻き具をとしたこと
を特徴とする伸縮ハンドル器具。
【請求項４】
請求項１又は２に記載の伸縮ハンドル器具であって、
前記作用部を、略「Ｕ」の字のワイヤにコイルを被せた肌掻き具としたこと
を特徴とする伸縮ハンドル器具。
【請求項５】
請求項１又は２に記載の伸縮ハンドル器具であって、
前記作用部を、複数の爪状の掻き部、指の腹状の略半球の膨らみ部による、肌掻き具としたこと
を特徴とする伸縮ハンドル器具。
【請求項６】
請求項１又は２に記載の伸縮ハンドル器具であって、
前記作用部を、プラスチック、ゴム、木、及び金属の少なくとも１種を塊状にした、肩叩き具としたこと
を特徴とする伸縮ハンドル器具。
【請求項７】
請求項１又は２に記載の伸縮ハンドル器具であって、
前記作用部を、ブラシ状、刷毛状、又はローラ状のものとしたこと
を特徴とする伸縮ハンドル器具。
【請求項８】
請求項１又は２に記載の伸縮ハンドル器具であって、
前記作用部を、貼り薬を載せ、転がし貼るローラ部と、
貼り薬の一方を押さえ、収納する収納部による、
貼り薬貼りを行う貼り具としたこと
を特徴とする伸縮ハンドル器具。
【請求項９】
請求項１又は２に記載の伸縮ハンドル器具であって、
前記作用部に、少なくとも２本の指状の板片、または棒片を対峙し、把持するハンドを設け、握り部付近に操作レバーを配し、操作レバーを動作ワイヤでハンドと結び、操作レバーを動作する事でハンドの把持力を動作させる、マジックハンド具としたこと
を特徴とする伸縮ハンドル器具。
【請求項１０】
請求項９に記載の伸縮ハンドル器具であって、
握り部付近にリールを設けると共に、リール軸周辺に回転巻き戻しをする巻きバネを設け、ハンドを動作させる動作ワイヤの一端をリール外周付近に係止し、伸縮竿を縮ませた際にリールに動作ワイヤを巻き取り、ワイヤのたるみを減少させ、張りを保つ様にしたこと
を特徴とする伸縮ハンドル器具。
【請求項１１】
請求項１又は２に記載の伸縮ハンドル器具であって、
前記接合部は、作用部を取り付け取り外し可能としたこと
を特徴とする伸縮ハンドル器具。